Podtech/llm-jp-corpus-v4-ja_patent huggingface dataset:
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
横向き姿勢で内部に溶融ガラスを流通させる貴金属製の溶融ガラス移送管を備えたガラス物品の製造装置において、
非貴金属製の補強部材が、前記溶融ガラス移送管の外周面の上部領域のみに前記溶融ガラス移送管の周方向に沿って取り付けられていることを特徴とするガラス物品の製造装置。
【請求項２】
前記補強部材が、前記溶融ガラス移送管の外周面の半周以下の領域に取り付けられていることを特徴とする請求項１に記載のガラス物品の製造装置。
【請求項３】
前記溶融ガラス移送管の周方向における前記補強部材の両端部が、前記溶融ガラス移送管の周囲に配設された耐火物によって下方から支持されていることを特徴とする請求項１又は２に記載のガラス物品の製造装置。
【請求項４】
前記溶融ガラス移送管の外周面に周方向に沿って複数の係合部が一体的に設けられおり、
前記係合部が、前記補強部材の外周面と係合する上部係合片を備えていることを特徴とする請求項１〜３のいずれか１項に記載のガラス物品の製造装置。
【請求項５】
前記係合部が、前記溶融ガラス移送管の管軸方向における前記補強部材の両側面のそれぞれに係合する一対の側部係合片を備えていることを特徴とする請求項４に記載のガラス物品の製造装置。
【請求項６】
前記一対の側部係合片のうち、一方の前記側部係合片が、前記溶融ガラス移送管の外周面に連続しており、他方の前記側部係合片が、前記上部係合片に対して折り曲げ可能に設けられていることを特徴とする請求項５に記載のガラス物品の製造装置。
【請求項７】
前記補強部材が、電鋳煉瓦で形成されていることを特徴とする請求項１〜６のいずれか１項に記載のガラス物品の製造装置。
【請求項８】
横向き姿勢で貴金属製の溶融ガラス移送管の内部に溶融ガラスを流通させるガラス物品の製造方法であって、
非貴金属製の補強部材が、前記溶融ガラス移送管の外周面の上部領域のみに前記溶融ガラス移送管の周方向に沿って取り付けられていることを特徴とするガラス物品の製造方法。
【手続補正２】
【補正対象書類名】明細書
【補正対象項目名】発明の名称
【補正方法】変更
【補正の内容】
【発明の名称】ガラス物品の製造装置およびその製造方法
【手続補正３】
【補正対象書類名】明細書
【補正対象項目名】０００１
【補正方法】変更
【補正の内容】
【０００１】
本発明は、横向き姿勢で内部に溶融ガラスを流通させる貴金属製の溶融ガラス移送管を備えたガラス物品の製造装置およびその製造方法の改良に関する。 
【手続補正４】
【補正対象書類名】明細書
【補正対象項目名】０００８
【補正方法】変更
【補正の内容】
【０００８】
上記課題を解決するために創案された本発明は、横向き姿勢で内部に溶融ガラスを流通させる貴金属製の溶融ガラス移送管を備えたガラス物品の製造装置において、非貴金属製
の補強部材が、前記溶融ガラス移送管の外周面の上部領域のみに前記溶融ガラス移送管の
周方向に沿って取り付けられていることを特徴とする。また、上記課題を解決するために創案された本発明は、横向き姿勢で貴金属製の溶融ガラス移送管の内部に溶融ガラスを流通させるガラス物品の製造方法であって、非貴金属製の補強部材が、前記溶融ガラス移送管の外周面の上部領域のみに前記溶融ガラス移送管の周方向に沿って取り付けられていることを特徴とする。
【手続補正５】
【補正対象書類名】明細書
【補正対象項目名】００１１
【補正方法】変更
【補正の内容】
【００１１】
このようにすれば、補強部材を溶融ガラス移送管の軸方向から挿入しなくても、溶融ガラス移送管の側方（例えば、管軸方向と直交する径方向）から溶融ガラス移送管の外周面に取り付けることができる。そのため、補強部材の取付作業が容易になる。
【手続補正６】
【補正対象書類名】明細書
【補正対象項目名】００１８
【補正方法】変更
【補正の内容】
【００１８】
上記の構成において、前記一対の側部係合片のうち、一方の前記側部係合片が、前記溶融ガラス移送管の外周面に連続しており、他方の前記側部係合片が、前記上部係合片に対して折り曲げ可能に設けられていることが好ましい。
【手続補正７】
【補正対象書類名】明細書
【補正対象項目名】００１９
【補正方法】変更
【補正の内容】
【００１９】
このようにすれば、一方の側部係合片と上部係合片によって補強部材を位置決めした後、他方の側部係合片を補強部材の側面に係合するように折り曲げれば、補強部材を溶融ガラス移送管の外周面に簡単に固定することができる。
【手続補正８】
【補正対象書類名】明細書
【補正対象項目名】００２９
【補正方法】変更
【補正の内容】
【００２９】
図２に示すように、溶融ガラス移送管１３は白金又は白金合金からなる円筒管である。溶融ガラス移送管１３の外周面１３ａの上部領域のみに、溶融ガラス移送管１３とは別体で形成された半円環状の補強部材１５が管軸方向Ｘに間隔を置いて複数取り付けられている。各補強部材１５は、溶融ガラス移送管１３の外周面１３ａの上部領域において、溶融ガラス移送管１３の周方向Ｙに連続している。
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
デバイスと接続されて前記デバイスと通信する第１通信部と、
ブラウザーが動作する端末と接続されて前記端末からの要求を受信する第２通信部と、
前記端末からの要求に基づいて前記デバイスを制御する制御オブジェクトを動作させ、前記端末と通信接続が切断されたときに前記制御オブジェクトを予め定められた所定期間保持するデバイス制御部と、
を備えることを特徴とする制御装置。
【請求項２】
前記デバイス制御部は、計測された経過時間が、前記所定時間以上経過したとき、前記制御オブジェクトを消去する請求項１に記載の制御装置。
【請求項３】
前記デバイス制御部は、前記端末との通信接続が切断されて、前記所定期間以上の時間が経過した後に前記端末と通信接続が行なわれたとき、前記端末からの要求に基づいて前記制御オブジェクトを生成して動作させる請求項２に記載の制御装置。
【請求項４】
前記デバイス制御部で動作される前記制御オブジェクトは、送信された前記端末からの要求を、前記第１通信部を介して前記デバイスに送信するデータに変換する請求項１乃至３のいずれか一項に記載の制御装置。
【請求項５】
制御オブジェクトを生成して動作させて、接続された端末からの要求に基づいて接続されたデバイスを制御し、
前記端末との通信接続が切断されたときに、前記端末との通信接続が切断された後の経過時間を計測し、予め定められた所定時間内は前記制御オブジェクトを保持することを特徴とする制御装置の制御方法。
【請求項６】
計測された経過時間が、前記所定時間以上経過したとき、前記制御オブジェクトを消去する請求項５に記載の制御装置の制御方法。
【請求項７】
前記所定時間以上経過した後に、再度前記端末と通信接続されたとき、前記端末からの要求に基づいて前記制御オブジェクトを生成して動作させる請求項６に記載の制御装置の制御方法。
【請求項８】
前記制御オブジェクトは、前記端末からの要求を、前記デバイスに送信するデータに変換する請求項５乃至７のいずれか一項に記載の制御装置の制御方法。
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
ＰＯＳ用のプリンターに印刷データを送信してレシートの印刷を実行させるＰＯＳ端末装置であって、
前記印刷データの生成用の設定情報を記憶した記憶部と、
所定のタイミングで前記プリンターに設定された情報を取得し、当該取得した情報を前記設定情報として前記記憶部に記憶する設定部と、
前記プリンターに対する印刷要求時に、前記記憶部に記憶された設定情報に基づいて前記印刷データを生成する生成部と、を有し、
前記設定部と前記生成部はプリンタードライバーとして構成されており、
前記記憶部はレジストリーであり、
前記設定情報には、前記プリンターが設置される国や場所によって異なる印刷処理の条件が含まれ、
前記プリンタードライバーは同機種の前記プリンターに対し１つである
ことを特徴とするＰＯＳ端末装置。
【請求項２】
請求項１において、
前記所定のタイミングは、前記プリンターの電源が投入されたことが検出されたタイミングである
ことを特徴とするＰＯＳ端末装置。
【請求項３】
請求項１において、
前記所定のタイミングは、前記プリンターに対する印刷要求時のタイミングである
ことを特徴とするＰＯＳ端末装置。
【請求項４】
請求項１乃至３のいずれか一項において、
前記設定情報は、少なくとも、前記プリンターが設置される国や場所によって異なる言語に対応したフォントの情報を含む
ことを特徴とするＰＯＳ端末装置。
【請求項５】
請求項１乃至４のいずれか一項において、
前記記憶部に、前記設定情報のデフォルト値が記憶される
ことを特徴とするＰＯＳ端末装置。
【請求項６】
ＰＯＳ用のプリンターに印刷データを送信してレシートの印刷を実行させるＰＯＳ端末装置に、印刷制御処理を実行させるプログラムであって、
前記印刷データの生成用の設定情報が前記ＰＯＳ端末装置に記憶され、
所定のタイミングで前記プリンターに設定された情報を取得し、当該取得した情報を前記設定情報として記憶する工程と、
前記プリンターに対する印刷要求時に、前記記憶された設定情報に基づいて前記印刷データを生成する工程と、を前記ＰＯＳ端末装置に実行させ、
前記設定情報を記憶する工程と前記印刷データを生成する工程は、前記プログラムとしてのプリンタードライバーが実行し、
前記設定情報を記憶する工程における記憶先はレジストリーであり、
前記設定情報には、前記プリンターが設置される国や場所によって異なる印刷処理の条件が含まれ、前記プリンタードライバーは同機種の前記プリンターに対し１つである
ことを特徴とするプログラム。
【請求項７】
ＰＯＳ用のプリンターに印刷データを送信してレシートの印刷を実行させるＰＯＳ端末装置における印刷制御方法であって、
前記印刷データの生成用の設定情報が前記ＰＯＳ端末装置に記憶され、
所定のタイミングで前記プリンターに設定された情報を取得し、当該取得した情報を前記設定情報として記憶する工程と、
前記プリンターに対する印刷要求時に、前記記憶された設定情報に基づいて前記印刷データを生成する工程と、を有し、
前記設定情報を記憶する工程と前記印刷データを生成する工程は、プリンタードライバーが実行し、
前記設定情報を記憶する工程における記憶先はレジストリーであり、
前記設定情報には、前記プリンターが設置される国や場所によって異なる印刷処理の条件が含まれ、前記プリンタードライバーは同機種の前記プリンターに対し１つである
ことを特徴とする印刷制御方法。
【請求項８】
ＰＯＳ用のプリンターと、当該プリンターに印刷データを送信してレシートの印刷を実行させるＰＯＳ端末装置とを有する印刷システムであって、
前記ＰＯＳ端末装置は、
前記印刷データの生成用の設定情報を記憶した記憶部と、
所定のタイミングで前記プリンターに設定された情報を取得し、当該取得した情報を前記設定情報として前記記憶部に記憶する設定部と、
前記プリンターに対する印刷要求時に、前記記憶部に記憶された設定情報に基づいて前記印刷データを生成する生成部と、を備え、
前記設定部と前記生成部はプリンタードライバーとして構成されており、
前記記憶部はレジストリーであり、
前記設定情報には、前記プリンターが設置される国や場所によって異なる印刷処理の条件が含まれ、
前記プリンタードライバーは同機種の前記プリンターに対し１つである
ことを特徴とする印刷システム。
【手続補正２】
【補正対象書類名】明細書
【補正対象項目名】発明の名称
【補正方法】変更
【補正の内容】
【発明の名称】ＰＯＳ端末装置、プログラム、印刷制御方法、及び、印刷システム
【手続補正３】
【補正対象書類名】明細書
【補正対象項目名】０００１
【補正方法】変更
【補正の内容】
【０００１】
本発明は、プリンターに印刷データを送信するＰＯＳ端末装置等に関し、特に、プリンターに対応したドライバー設定を自動ででき、同機種のプリンターに対するドライバーを１つにすることが可能なＰＯＳ端末装置等に関する。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
複数の部品データから構成される三次元モデルと、当該三次元モデルから生成された二次元図面とを表示可能な情報処理装置であって、
前記二次元図面を構成する投影図の奥行き方向を、当該二次元図面に対応する前記三次元モデルが存在する三次元空間において特定するよう制御する奥行き方向特定手段と、
前記奥行き方向特定手段で特定された奥行き方向における第１の位置と第２の位置との指定を受け付ける指定受付手段と、
前記指定受付手段で指定を受け付けた第１の位置と第２の位置との間に存在する前記三次元モデルの部品データを示す隠線の表示状態を、前記二次元図面を構成する投影図において制御する表示制御手段と
を備えることを特徴とする情報処理装置。
【請求項２】
前記表示制御手段は、前記二次元図面を構成する投影図において、前記指定受付手段で指定を受け付けた第１の位置と第２の位置との間に存在する前記部品データを示す隠線を表示状態にし、前記指定受付手段で指定を受け付けた第１の位置と第２の位置との間に存在しない前記部品データを示す隠線を非表示状態にすることを特徴とする請求項１に記載の情報処理装置。
【請求項３】
前記表示制御手段は、前記奥行き方向特定手段で特定された奥行き方向における第１の位置に対応する第１のスライダーと、前記奥行き方向特定手段で特定された奥行き方向における第２の位置に対応する第２のスライダーとを含む画面を更に表示させ、
前記指定受付手段は、前記表示制御手段で表示された前記画面に含まれる前記第１のスライダーと前記第２のスライダーとに対する操作を受け付けることにより、当該第１のスライダーと当該第２のスライダーのそれぞれに対応する第１の位置と第２の位置との指定を受け付けることを特徴とする請求項１または２に記載の情報処理装置。
【請求項４】
前記表示制御手段は、更に、前記指定受付手段で指定を受け付けた第１の位置と第２の位置との間に存在する前記部品データを、当該部品データの奥行き方向における位置に基づく順序で画面に表示することを特徴とする請求項１乃至３のいずれか１項に記載の情報処理装置。
【請求項５】
前記情報処理装置は、
前記二次元図面を構成する複数の投影図のうち、隠線の表示制御を行う投影図に対する選択を受け付ける投影図選択受付手段
を更に備え、
前記奥行き方向特定手段は、前記投影図選択受付手段で選択を受け付けた投影図の奥行き方向を、当該二次元図面に対応する前記三次元モデルが存在する三次元空間において特定するよう制御し、
前記表示制御手段は、前記投影図選択受付手段で選択を受け付けた投影図において、前記指定受付手段で指定を受け付けた第１の位置と第２の位置との間に存在する前記部品データを示す隠線の表示状態を制御することを特徴とする請求項１乃至４のいずれか１項に記載の情報処理装置。
【請求項６】
前記情報処理装置は、アドオンツールとして動作することを特徴とする請求項１乃至５のいずれか１項に記載の情報処理装置。
【請求項７】
複数の部品データから構成される三次元モデルと、当該三次元モデルから生成された二次元図面とを表示可能な情報処理装置の制御方法であって、
前記情報処理装置の奥行き方向特定手段が、前記二次元図面を構成する投影図の奥行き方向を、当該二次元図面に対応する前記三次元モデルが存在する三次元空間において特定するよう制御する奥行き方向特定ステップと、
前記情報処理装置の指定受付手段が、前記奥行き方向特定ステップで特定された奥行き方向における第１の位置と第２の位置との指定を受け付ける指定受付ステップと、
前記情報処理装置の表示制御手段が、前記指定受付ステップで指定を受け付けた第１の位置と第２の位置との間に存在する前記三次元モデルの部品データを示す隠線の表示状態を、前記二次元図面を構成する投影図において制御する表示制御ステップと
を備えることを特徴とする情報処理装置の制御方法。
【請求項８】
複数の部品データから構成される三次元モデルと、当該三次元モデルから生成された二次元図面とを表示可能な情報処理装置の制御方法を実行可能なプログラムであって、
前記情報処理装置を、
前記二次元図面を構成する投影図の奥行き方向を、当該二次元図面に対応する前記三次元モデルが存在する三次元空間において特定するよう制御する奥行き方向特定手段と、
前記奥行き方向特定手段で特定された奥行き方向における第１の位置と第２の位置との指定を受け付ける指定受付手段と、
前記指定受付手段で指定を受け付けた第１の位置と第２の位置との間に存在する前記三次元モデルの部品データを示す隠線の表示状態を、前記二次元図面を構成する投影図において制御する表示制御手段
として機能させることを特徴とするプログラム。
【手続補正２】
【補正対象書類名】明細書
【補正対象項目名】０００１
【補正方法】変更
【補正の内容】
【０００１】
本発明は、二次元図面を構成する投影図の奥行き方向に存在する、任意の範囲の部品データの隠線を容易に表示制御することの可能な情報処理装置、その制御方法、及びプログラムに関する。
【手続補正３】
【補正対象書類名】明細書
【補正対象項目名】０００９
【補正方法】変更
【補正の内容】
【０００９】
本発明は、二次元図面を構成する投影図の奥行き方向に存在する、任意の範囲の部品データの隠線を容易に表示制御することの可能な仕組みを提供することを目的とする。
【手続補正４】
【補正対象書類名】明細書
【補正対象項目名】００１０
【補正方法】変更
【補正の内容】
【００１０】
上記の目的を達成するために、本発明の情報処理装置は、複数の部品データから構成される三次元モデルと、当該三次元モデルから生成された二次元図面とを表示可能な情報処理装置であって、前記二次元図面を構成する投影図の奥行き方向を、当該二次元図面に対応する前記三次元モデルが存在する三次元空間において特定するよう制御する奥行き方向特定手段と、前記奥行き方向特定手段で特定された奥行き方向における第１の位置と第２の位置との指定を受け付ける指定受付手段と、前記指定受付手段で指定を受け付けた第１の位置と第２の位置との間に存在する前記三次元モデルの部品データを示す隠線の表示状態を、前記二次元図面を構成する投影図において制御する表示制御手段とを備えることを特徴とする。
【手続補正５】
【補正対象書類名】明細書
【補正対象項目名】００１１
【補正方法】変更
【補正の内容】
【００１１】
本発明によれば、二次元図面を構成する投影図の奥行き方向に存在する、任意の範囲の部品データの隠線を容易に表示制御することが可能となる。
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
印刷装置に接続される周辺機器の設定を行う印刷制御装置であって、
前記印刷装置に対して前記周辺機器の制御に係るコマンドを送信するインターフェースと、
前記周辺機器の機器構成を選択する機器構成選択部と、
選択された前記機器構成に基づいた前記周辺機器の設定画面を表示する周辺機器設定画面表示部と、を備えたことを特徴とする印刷制御装置。
【請求項２】
前記印刷装置から前記インターフェースを介して、前記印刷装置に接続されている前記周辺機器の機器構成情報を取得する機器構成情報取得部を、さらに備え、
前記機器構成選択部は、
前記機器構成情報取得部により取得した前記機器構成情報に基づいて、前記周辺機器の機器構成を選択することを特徴とする請求項１に記載の印刷制御装置。
【請求項３】
前記周辺機器設定画面表示部は、
前記機器構成に基づく前記周辺機器の設定画面を、１つの設定画面として表示することを特徴とする請求項１または２に記載の印刷制御装置。
【請求項４】
前記印刷制御装置はＰＯＳ端末であり、前記印刷装置はＰＯＳ用のレシートプリンターであり、前記周辺機器はキャッシュドロワーを含むことを特徴とする請求項１から３のいずれか１項に記載の印刷制御装置。
【請求項５】
印刷装置に接続される周辺機器の設定を行う印刷制御装置の制御方法であって、
前記周辺機器の機器構成の選択を受け付けるステップと、
選択された前記機器構成に基づいた前記周辺機器の設定画面を表示するステップと、
前記印刷装置に対して前記周辺機器の制御に係るコマンドを送信するステップと、
を実行することを特徴とする印刷制御装置の制御方法。
【請求項６】
コンピューターに、請求項５に記載の印刷制御装置の制御方法における各ステップを実行させるためのプログラム。
【手続補正２】
【補正対象書類名】明細書
【補正対象項目名】０００６
【補正方法】変更
【補正の内容】
【０００６】
本発明の印刷制御装置は、印刷装置に接続される周辺機器の設定を行う印刷制御装置であって、印刷装置に対して周辺機器の制御に係るコマンドを送信するインターフェースと、周辺機器の機器構成を選択する機器構成選択部と、選択された機器構成に基づいた周辺機器の設定画面を表示する周辺機器設定画面表示部と、を備えたことを特徴とする。
本発明の印刷制御装置において、印刷装置からインターフェースを介して、印刷装置に接続されている周辺機器の機器構成情報を取得する機器構成情報取得部を、さらに備え、機器構成選択部は、機器構成情報取得部により取得した機器構成情報に基づいて、周辺機器の機器構成を選択することを特徴とする。
本発明の印刷制御装置において、周辺機器設定画面表示部は、機器構成に基づく周辺機器の設定画面を、１つの設定画面として表示することを特徴とする。
本発明の印刷制御装置において、印刷制御装置はＰＯＳ端末であり、印刷装置はＰＯＳ用のレシートプリンターであり、周辺機器はキャッシュドロワーを含むことを特徴とする。
本発明の印刷制御装置の制御方法は、印刷装置に接続される周辺機器の設定を行う印刷制御装置の制御方法であって、周辺機器の機器構成の選択を受け付けるステップと、選択された機器構成に基づいた周辺機器の設定画面を表示するステップと、印刷装置に対して周辺機器の制御に係るコマンドを送信するステップと、を実行することを特徴とする。
本発明のプログラムは、コンピューターに、上記の印刷制御装置の制御方法における各ステップを実行させることを特徴とする。
なお、以下の構成としても良い。
本発明の印刷制御装置は、印刷装置に接続される周辺機器の設定を行う印刷制御装置であって、周辺機器の機器構成を選択するための機器構成選択部と、選択された機器構成に基づいた周辺機器の設定画面を表示する周辺機器設定画面表示部と、を備えたことを特徴とする。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
ＴｒｕｅＴｙｐｅのシステムフォントを備え、当該システムフォントを印刷装置が内蔵するデバイスフォントに置き換えて前記印刷装置に印刷させるフォント置き換え機能を有する印刷制御装置であって、
置き換え先フォントとして前記デバイスフォントを選択するための置き換え先フォント選択部と、
置き換え元フォントとして、選択された前記デバイスフォントのフォント幅と等幅になるような前記システムフォントを表示する置き換え元フォント表示部と、
表示された前記置き換え元フォントの中から、置き換え対象となる前記置き換え元フォントを選択するための置き換え元フォント選択部と、
選択された前記置き換え先フォントのフォント幅に基づいて前記置き換え元フォントのフォントサイズをポイント数として算出するフォントサイズ算出部と、
算出した前記ポイント数を表示するフォントサイズ表示部と、を備えることを特徴とする印刷制御装置。
【請求項２】
前記フォントサイズ算出部により算出された前記ポイント数に基づき、前記置き換え元フォントを用いて印刷イメージを表示する印刷プレビュー表示部を備えることを特徴とする請求項１に記載の印刷制御装置。
【請求項３】
ＴｒｕｅＴｙｐｅのシステムフォントを備え、当該システムフォントを印刷装置が内蔵するデバイスフォントに置き換えて前記印刷装置に印刷させるフォント置き換え機能を有する印刷制御装置の制御方法であって、
置き換え先フォントとして前記デバイスフォントの選択を受け付けるステップと、
置き換え元フォントとして、選択された前記デバイスフォントのフォント幅と等幅になるような前記システムフォントを表示するステップと、
表示された前記置き換え元フォントの中から、置き換え対象となる前記置き換え元フォントの選択を受け付けるステップと、
選択された前記置き換え先フォントのフォント幅に基づいて前記置き換え元フォントのフォントサイズをポイント数として算出するステップと、
算出した前記ポイント数を表示するステップと、を実行することを特徴とする印刷制御装置の制御方法。
【請求項４】
算出された前記置き換え元フォントの前記ポイント数に基づき、前記置き換え元フォントを用いて印刷イメージを表示するステップを実行することを特徴とする請求項３に記載の印刷制御装置の制御方法。
【請求項５】
コンピューターに、請求項３または４に記載の印刷制御装置の制御方法における各ステップを実行させるためのプログラム。
【手続補正２】
【補正対象書類名】明細書
【補正対象項目名】０００６
【補正方法】変更
【補正の内容】
【０００６】
本発明の印刷制御装置は、ＴｒｕｅＴｙｐｅのシステムフォントを備え、当該システムフォントを印刷装置が内蔵するデバイスフォントに置き換えて印刷装置に印刷させるフォント置き換え機能を有する印刷制御装置であって、置き換え先フォントとしてデバイスフォントを選択するための置き換え先フォント選択部と、置き換え元フォントとして、選択されたデバイスフォントのフォント幅と等幅になるようなシステムフォントを表示する置き換え元フォント表示部と、表示された置き換え元フォントの中から、置き換え対象となる置き換え元フォントを選択するための置き換え元フォント選択部と、選択された置き換え先フォントのフォント幅に基づいて置き換え元フォントのフォントサイズをポイント数として算出するフォントサイズ算出部と、算出したポイント数を表示するフォントサイズ表示部と、を備えることを特徴とする。
本発明の印刷制御装置において、フォントサイズ算出部により算出されたポイント数に基づき、置き換え元フォントを用いて印刷イメージを表示する印刷プレビュー表示部を備えることを特徴とする。
本発明の印刷制御装置の制御方法は、ＴｒｕｅＴｙｐｅのシステムフォントを備え、当該システムフォントを印刷装置が内蔵するデバイスフォントに置き換えて印刷装置に印刷させるフォント置き換え機能を有する印刷制御装置の制御方法であって、置き換え先フォントとしてデバイスフォントの選択を受け付けるステップと、置き換え元フォントとして、選択されたデバイスフォントのフォント幅と等幅になるようなシステムフォントを表示するステップと、表示された置き換え元フォントの中から、置き換え対象となる置き換え元フォントの選択を受け付けるステップと、選択された置き換え先フォントのフォント幅に基づいて置き換え元フォントのフォントサイズをポイント数として算出するステップと、算出したポイント数を表示するステップと、を実行することを特徴とする。
本発明の印刷制御装置の制御方法において、算出された置き換え元フォントのポイント数に基づき、置き換え元フォントを用いて印刷イメージを表示するステップを実行することを特徴とする。
本発明のプログラムは、コンピューターに、上記の印刷制御装置の制御方法における各ステップを実行させることを特徴とする。
なお、以下の構成としても良い。
本発明の印刷制御装置は、システムフォントを印刷装置が内蔵するデバイスフォントに置き換えるフォント置き換え機能を有する印刷制御装置であって、置き換え元フォントとして、フォント幅が等幅のシステムフォントのみを表示する置き換え元フォント表示部と、表示された置き換え元フォントの中から、置き換え対象となる置き換え元フォントを選択するための置き換え元フォント選択部と、置き換え先フォントとしてデバイスフォントを選択するための置き換え先フォント選択部と、選択された置き換え元フォントが適用される画面表示と、選択された置き換え先フォントによる印刷結果と、が同じになるような置き換え元フォントのフォントサイズをポイント数として算出するフォントサイズ算出部と、算出したポイント数を表示するフォントサイズ表示部と、を備えたことを特徴とする。
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
ブラウザーが動作する端末と、
前記端末と通信接続し、前記端末とデータの送受信を行う制御装置と、有し、
前記端末及び前記制御装置は、通信接続がされたときに通信接続に係る識別情報を記憶し、
通信接続が切断された後に再度通信接続がなされる時、前記端末及び前記制御装置が記憶する前記通信接続に係る識別情報に基づいて通信接続を行うことを特徴とする制御システム。
【請求項２】
前記通信接続に係わる識別情報は、前記端末と前記制御装置との通信経路に付与される識別情報である請求項１に記載の制御システム。
【請求項３】
前記制御装置に接続されるデバイスを有し、
前記制御装置は、前記デバイスを制御する制御オブジェクトを生成するデバイス制御部、及び、前記デバイス制御部で生成された前記制御オブジェクトと前記通信接続に係わる識別情報とを対応付けて記憶する記憶部を有する請求項１または２に記載の制御システム。
【請求項４】
前記デバイス制御部は、前記端末と前記制御装置との通信接続が切断された後、予め定められた期間内に再度通信接続がなされなかった時、前記制御オブジェクトを消去する請求項３に記載の制御システム。
【請求項５】
前記デバイス制御部は、前記端末と前記制御装置との通信接続が切断された後、予め定められた期間内に再度通信接続がなされたとき、再度通信接続がなされたときの識別情報と前記記憶部に記憶された前記制御オブジェクトに対応付けられた識別情報とに基づいて、前記制御オブジェクトの生成を制御する請求項３または４に記載の制御システム。
【請求項６】
ブラウザーが動作する端末と前記端末にデータの送受信を行う制御装置との通信接続を確立し、
確立された通信接続に係わる識別情報を生成し、
生成された前記識別情報を前記端末及び前記制御装置に記憶し、
前記端末と前記制御装置との通信接続が切断されたのち、再度通信接続がなされるとき、前記前記端末及び前記制御装置が記憶する前記通信接続に係わる識別情報に基づいて通信接続を行うことを特徴とする制御システムの制御方法。
【請求項７】
前記通信接続に係わる識別情報は、前記端末と前記制御装置との通信経路に付与される識別情報である請求項６に記載の制御システムの制御方法。
【請求項８】
前記制御装置で、当該制御装置に接続されたデバイスを制御する制御オブジェクトを生成し、生成された前記制御オブジェクトと前記通信接続に係わる識別情報とを対応付けて記憶する請求項６または７に記載の制御システムの制御方法。
【請求項９】
前記制御装置で、前記端末と前記制御装置との通信接続が切断された後、予め定められた期間内に再度通信接続がなされなかった時、前記制御オブジェクトを消去する請求項８に記載の制御システムの制御方法。
【請求項１０】
前記通信接続に係わる識別情報に基づく通信接続は、前記端末と前記制御装置との通信接続が切断された後、予め定められた期間内で再度通信接続を行うときに実行する請求項６乃至９のいずれか一項に記載の制御システムの制御方法。
【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
ブラウザーで動作するアプリケーションが実行される端末、前記アプリケーションの要求に基づいて動作するデバイス、および前記デバイスが接続される制御装置を有し、
前記端末の前記ブラウザーで動作する前記アプリケーションから、前記制御装置に接続された前記デバイスの制御を、前記制御装置が要求されたとき、
前記デバイスの制御を要求された前記制御装置は、前記デバイスの制御の確立を実行し、
前記制御装置が前記デバイスの制御の確立を実行した後、前記端末は、前記アプリケーションによる前記制御装置を介した前記デバイスの制御の確立を実行することを特徴とする制御システムの制御方法。
【請求項２】
前記制御装置の前記デバイスの制御の確立は、前記端末の前記ブラウザーで動作する前記アプリケーションからの要求に基づいて、前記デバイスに処理を実行させることが可能な状態の確立である請求項１に記載の制御システムの制御方法。
【請求項３】
端末のブラウザーで動作するアプリケーションから、制御装置に接続されたデバイスの制御を、前記制御装置が要求されたとき、
前記デバイスの制御を要求された前記制御装置は、前記デバイスの制御の確立を実行し、
前記制御装置が前記デバイスの制御の確立を実行した後、前記制御装置は、前記端末に前記アプリケーションによる前記制御装置を介した前記デバイスの制御の確立を実行させることを特徴とする制御装置の制御方法。
【請求項４】
前記制御装置の前記デバイスの制御の確立は、前記端末の前記ブラウザーで動作する前記アプリケーションからの要求に基づいて、前記デバイスに処理を実行させることが可能な状態の確立である請求項３に記載の制御装置の制御方法。
【請求項５】
前記制御装置の前記デバイスの制御の確立は、前記端末との間でデータの送受信が可能な状態の確立である請求項３又は４に記載の制御装置の制御方法。
【請求項６】
前記制御装置の前記デバイスの制御の確立は、前記制御装置での前記デバイスとデータの送受信を行う制御オブジェクトの生成である請求項３ないし５のいずれか１項に記載の制御装置の制御方法。
【請求項７】
前記端末の前記アプリケーションによる前記制御装置を介した前記デバイスの制御の確立は、前記端末での前記制御オブジェクトと通信を行うインターフェースオブジェクトの生成である請求項６に記載の制御装置の制御方法。
【請求項８】
前記デバイスは、印刷を行うプリンターであり、
前記端末の前記ブラウザーで動作する前記アプリケーションから、前記プリンターの制御を、前記制御装置が要求されたとき、
前記プリンターの制御を要求された前記制御装置は、前記プリンターの制御の確立を実行し、
前記制御装置が前記プリンターの制御を確立した後、前記制御装置は、前記端末に前記アプリケーションによる前記制御装置を介したプリンターの制御の確立を実行させる請求項３に記載の制御装置の制御方法。
【手続補正２】
【補正対象書類名】明細書
【補正対象項目名】発明の名称
【補正方法】変更
【補正の内容】
【発明の名称】制御システムの制御方法、及び、制御装置の制御方法
【手続補正３】
【補正対象書類名】明細書
【補正対象項目名】０００１
【補正方法】変更
【補正の内容】
【０００１】
本発明は、デバイスが接続された制御装置と、制御装置と通信する端末とを備える制御システムの制御方法、及び、制御装置の制御方法に関する。
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
データを出力するデバイスと、
前記デバイスと通信して、前記デバイスが出力した前記データを取得する第１通信部、
前記第１通信部で取得された前記データに識別情報を付与するデバイス制御部、前記識別情報が付与されたデータを記憶する記憶部、及び、前記識別情報が付与されたデータを出力する第２通信部を有する制御装置と、
前記制御装置から出力された前記識別情報が付与されたデータを受信する受信部、前記受信部で受信された前記識別情報が付与されたデータの前記識別情報を記憶する端末記憶部、及び、前記識別情報が付与されたデータを処理するアプリケーションを動作させる端末制御部を有する端末と、
を備えることを特徴とする制御システム。
【請求項２】
前記端末と前記制御装置との通信の接続が切断された後に再接続されたとき、
前記端末は、
記憶した前記識別情報を前記制御装置に送信し、
前記制御装置の前記デバイス制御部は、前記端末から送信された前記識別情報と、前記記憶部に記憶された前記識別情報が付与されたデータの前記識別情報とに基づいて、前記端末に記憶されていない前記識別情報が付与されたデータを判別し、
前記制御装置の前記第２通信部は、前記端末に記憶されていない前記識別情報が付与されたデータを送信する請求項１に記載の制御システム。
【請求項３】
前記制御装置の前記デバイス制御部で付与される前記識別情報は、規則性を有する情報であり、
前記デバイス制御部は、前記識別情報の規則性に基づいて、前記端末に記憶されていない前記識別情報が付与されたデータを判別する請求項２に記載の制御システム。
【請求項４】
制御装置で、接続されたデバイスから出力されたデータに、識別情報を付与して、前記識別情報が付与されたデータを記憶し、前記識別情報が付与されたデータを端末に送信し、
前記識別情報が付与されたデータを送信された前記端末で、前記識別情報が付与されたデータの前記識別情報を記憶することを特徴とする制御システムの制御方法。
【請求項５】
前記制御装置と前記端末との通信中に通信が切断された後、通信が再接続された時、
前記端末は記憶した前記識別情報を前記制御装置に送信し、
前記制御装置は、送信された前記識別情報と、記憶した前記識別情報が付与されたデータの前記識別情報とに基づいて、前記端末に記憶されていない前記識別情報が付与されたデータを前記端末に送信する請求項４に記載の制御システムの制御方法。
【請求項６】
前記制御装置で付与される前記識別情報は、規則性を有する情報であり、
前記制御装置で、前記識別情報の規則性に基づいて、前記端末に記憶されていない前記識別情報が付与されたデータを判別する請求項５に記載の制御システムの制御方法。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
圧電体を備え、超音波の発信および受信の少なくとも一方を行う超音波素子を有する超音波素子基板と、
前記超音波素子基板の前記超音波素子が形成された面に固着され超音波を収束させるレンズ部を有する音響レンズと、
前記超音波素子基板と前記音響レンズの間に配置され、前記超音波素子基板と前記音響レンズとを固着する樹脂で形成された音響整合層と、を備え、
前記音響レンズの前記超音波素子基板の前記超音波素子と対向する面において、
前記音響レンズに、前記音響レンズの厚み方向に突出する複数の凸部が形成され、
前記複数の凸部のうちの少なくとも２つが、前記超音波素子基板の厚み方向の平面視において、前記超音波素子基板の前記超音波素子の形成されていない外周部の対向する２辺と接触し、前記音響整合層の厚みが一定に保持される
ことを特徴とする超音波デバイス。
【請求項２】
請求項１に記載の超音波デバイスにおいて、
前記音響整合層は前記超音波素子基板と前記音響レンズとの間に充填され、前記超音波素子基板と前記音響レンズとに固着している樹脂である
ことを特徴とする超音波デバイス。
【請求項３】
請求項２に記載の超音波デバイスにおいて、
前記複数の凸部の一部に、前記音響レンズの厚み方向に突出する寸法の異なる部分を有する
ことを特徴とする超音波デバイス。
【請求項４】
請求項１乃至３のいずれか一項に記載の超音波デバイスにおいて、
前記超音波素子基板の前記超音波素子が形成された面にて接続するフレキシブル印刷配線基板を備え、
前記フレキシブル印刷配線基板は前記超音波素子基板に電気的に接続し、
前記音響レンズの前記複数の凸部の一部は前記フレキシブル印刷配線基板と接触してる
ことを特徴とする超音波デバイス。
【請求項５】
請求項１乃至４のいずれか一項に記載の超音波デバイスにおいて、
前記超音波素子基板は、
開口部が形成されたベース基板と、
前記開口部を覆って形成され膜厚方向に変位可能な振動膜と、
前記振動膜に設けられた圧電体部と、を有し、
前記圧電体部は、
前記振動膜の上に設けられる第１電極と、
前記第１電極の少なくとも一部を覆って設けられる圧電体層と、
前記圧電体層の少なくとも一部を覆って設けられる第２電極と、を有する
ことを特徴とする超音波デバイス。
【請求項６】
請求項１乃至５のいずれか一項に記載の超音波デバイスと、
前記超音波デバイスを支持する筐体と、を備えることを特徴とする超音波プローブ。
【請求項７】
請求項１乃至５のいずれか一項に記載の超音波デバイスと、
前記超音波デバイスに接続され、前記超音波デバイスの出力を処理する処理回路と、
を備えることを特徴とする電子機器。
【請求項８】
請求項１乃至５のいずれか一項に記載の超音波デバイスと、
前記超音波デバイスに接続され、前記超音波デバイスの出力を処理し画像を生成する処理回路と、
前記画像を表示する表示部と、
を備えることを特徴とする超音波画像装置。
【請求項９】
圧電体を備え、超音波の発信および受信の少なくとも一方を行う超音波素子を有する超音波素子基板と、
前記超音波素子基板が固着される平面部と前記平面部の周りに立設された枠部とを有する固定枠と、
前記固定枠の前記枠部の上面と固着され超音波を収束させるレンズ部を有する音響レンズと、を備え、
前記音響レンズと前記固定枠の前記枠部の少なくとも対向する２辺の前記上面とが接触し、前記超音波素子基板と前記音響レンズとの間の距離が規定される
ことを特徴とする超音波デバイス。
【請求項１０】
請求項９に記載の超音波デバイスにおいて、
前記超音波素子基板と前記音響レンズとの間に設けられた音響整合層を備え、
前記音響整合層は前記超音波素子基板と前記音響レンズとに固着している樹脂で形成されている
ことを特徴とする超音波デバイス。
【請求項１１】
請求項９または１０に記載の超音波デバイスにおいて、
前記音響レンズの前記超音波素子基板と対向する面において、
前記音響レンズの外縁部に、前記音響レンズの厚み方向に突出する複数の凸部が形成されている
ことを特徴とする超音波デバイス。
【請求項１２】
請求項１１に記載の超音波デバイスにおいて、
前記複数の凸部の一部に、前記音響レンズの厚み方向に突出する寸法の異なる部分を有する
ことを特徴とする超音波デバイス。
【請求項１３】
請求項９乃至１２のいずれか一項に記載の超音波デバイスにおいて、
前記超音波素子基板の前記超音波素子が形成された面にて前記超音波素子基板に電気的に接続するフレキシブル印刷配線基板を備え、
前記フレキシブル印刷配線基板は前記固定枠の前記枠部の前記上面と対応する部分に穴部が形成され、
前記音響レンズの前記複数の凸部の一部に前記フレキシブル印刷配線基板の厚みと同じ寸法で窪んだ凹部が形成され、
前記音響レンズの前記複数の凸部の一部が前記フレキシブル印刷配線基板の前記穴部に間挿されて前記固定枠の前記枠部の上面が接触し、前記凹部が前記フレキシブル印刷配線基板と接触している
ことを特徴とする超音波デバイス。
【請求項１４】
請求項９乃至１３のいずれか一項に記載の超音波デバイスにおいて、
前記超音波素子基板は、
開口部が形成されたベース基板と、
個々の前記開口部を覆って形成され膜厚方向に変位可能な振動膜と、
個々の前記振動膜に設けられた圧電体部と、を有し、
前記圧電体部は、
前記振動膜の上に設けられる第１電極と、
前記第１電極の少なくとも一部を覆って設けられる圧電体層と、
前記圧電体層の少なくとも一部を覆って設けられる第２電極と、を有する
ことを特徴とする超音波デバイス。
【請求項１５】
請求項９乃至１４のいずれか一項に記載の超音波デバイスと、
前記超音波デバイスを支持する筐体と、を備えることを特徴とする超音波プローブ。
【請求項１６】
請求項９乃至１４のいずれか一項に記載の超音波デバイスと、
前記超音波デバイスに接続され、前記超音波デバイスの出力を処理する処理回路と、
を備えることを特徴とする電子機器。
【請求項１７】
請求項９乃至１４のいずれか一項に記載の超音波デバイスと、
前記超音波デバイスに接続され、前記超音波デバイスの出力を処理し画像を生成する処理回路と、
前記画像を表示する表示部と、
を備えることを特徴とする超音波画像装置。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
圧電体を備え、超音波の発信および受信の少なくとも一方を行う超音波素子を有する超音波素子基板と、
前記超音波素子基板の前記超音波素子が形成された面に音響整合層を介して固着され超音波を収束させるレンズ部を有する音響レンズと、
前記超音波素子基板の前記超音波素子が形成された面とは反対の面に固着された支持部材と、を備え、
前記支持部材は前記超音波素子基板の厚み方向の平面視において前記超音波素子基板より面積が広く、かつ曲げ剛性が大きく形成され、
前記音響レンズは前記超音波素子基板より曲げ剛性が小さく形成されている
ことを特徴とする超音波デバイス。
【請求項２】
請求項１に記載の超音波デバイスにおいて、
前記超音波素子基板と前記音響レンズとの間に充填された音響整合層を備え、
前記音響整合層は前記超音波素子基板と前記音響レンズとに固着している樹脂で形成されている
ことを特徴とする超音波デバイス。
【請求項３】
請求項１または２に記載の超音波デバイスにおいて、
前記音響レンズは前記超音波素子基板に接触している複数の第１凸部を有する
ことを特徴とする超音波デバイス。
【請求項４】
請求項３に記載の超音波デバイスにおいて、
前記第１凸部は前記平面視において前記音響レンズの外周部に設けられている
ことを特徴とする超音波デバイス。
【請求項５】
請求項１乃至４のいずれか一項に記載の超音波デバイスにおいて、
前記超音波素子基板の前記他方の面にて接続するフレキシブル印刷配線基板を備え、
前記フレキシブル印刷配線基板は前記超音波素子基板に電気的に接続し、前記フレキシブル印刷配線基板の一部は前記支持部材に固着されている
ことを特徴とする超音波デバイス。
【請求項６】
請求項５に記載の超音波デバイスにおいて、
前記支持部材の外縁部の一部に斜面部が設けられ、前記フレキシブル印刷配線基板は前記斜面部に固着されている
ことを特徴とする超音波デバイス。
【請求項７】
請求項５に記載の超音波デバイスにおいて、
前記音響レンズは前記フレキシブル印刷配線基板と接触し、前記超音波素子基板との間で前記フレキシブル印刷配線基板を押える複数の第２凸部を有する
ことを特徴とする超音波デバイス。
【請求項８】
請求項７に記載の超音波デバイスにおいて、
前記フレキシブル印刷配線基板の前記超音波素子基板との電気的接続位置は、前記超音波素子基板の厚み方向の平面視において前記音響レンズの前記第２凸部と前記超音波素子との間に配置されている
ことを特徴とする超音波デバイス。
【請求項９】
請求項１乃至８のいずれか一項に記載の超音波デバイスにおいて、
前記超音波素子基板は、
開口部が形成されたベース基板と、
前記開口部を覆って形成され膜厚方向に変位可能な振動膜と、
前記振動膜に設けられた圧電体部と、を有し、
前記圧電体部は、
前記振動膜の上に設けられる第１電極と、
前記第１電極の少なくとも一部を覆って設けられる圧電体層と、
前記圧電体層の少なくとも一部を覆って設けられる第２電極と、を有する
ことを特徴とする超音波デバイス。
【請求項１０】
請求項１乃至９のいずれか一項に記載の超音波デバイスと、
前記超音波デバイスを支持する筐体と、を備えることを特徴とする超音波プローブ。
【請求項１１】
請求項１乃至９のいずれか一項に記載の超音波デバイスと、
前記超音波デバイスに接続され、前記超音波デバイスの出力を処理する処理回路と、
を備えることを特徴とする電子機器。
【請求項１２】
請求項１乃至９のいずれか一項に記載の超音波デバイスと、
前記超音波デバイスに接続され、前記超音波デバイスの出力を処理し画像を生成する処理回路と、
前記画像を表示する表示部と、
を備えることを特徴とする超音波画像装置。
【手続補正書】
【提出日】平成28年1月20日(2016.1.20)
【手続補正１】
【補正対象書類名】特許請求の範囲
【補正対象項目名】請求項２
【補正方法】変更
【補正の内容】
【請求項２】
さらに、前記撮像装置の動きによる像ブレを補正する像ブレ補正手段を有し、
前記閾値が、前記像ブレ補正手段が補正可能な前記撮像装置の動きの量に基づいて定められることを特徴とする請求項１記載の撮像装置。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
第１の円板状部と、
前記第１の円板状部より小径の第２の円板状部と、
発光素子を搭載する発光素子搭載面を備えた発光素子固定部と、を有し、
前記第２の円板状部は、前記第１の円板状部の上面から突出すると共に、前記第１の円板状部の上面の外縁部を露出するように設けられ、
前記発光素子固定部は、前記第２の円板状部の上面に、前記発光素子搭載面が前記第２の円板状部の上面に対して垂直になるように設けられ、
前記第１の円板状部と前記第２の円板状部が偏芯しており、前記第１の円板状部及び前記第２の円板状部の中心は、平面視において、前記発光素子搭載面と垂直な線上の異なる位置にある半導体パッケージ用ステム。
【請求項２】
前記第２の円板状部の上面と前記発光素子固定部との間に、更に１つ以上の円板状部を有し、
上側の円板状部は、下側の円板状部よりも小径であり、
上側の円板状部は、下側の円板状部の上面から突出すると共に、前記下側の円板状部の上面の外縁部を露出するように設けられ、
前記発光素子固定部は、最上の円板状部の上面に、前記発光素子搭載面が前記最上の円板状部の上面に対して垂直になるように設けられ、
夫々の円板状部が偏芯している請求項１記載の半導体パッケージ用ステム。
【請求項３】
夫々の円板状部が一体に形成されている請求項１又は２記載の半導体パッケージ用ステム。
【請求項４】
請求項１乃至３の何れか一項記載の半導体パッケージ用ステムと、
前記発光素子搭載面に搭載された発光素子と、を有し、
前記発光素子は、平面視において、発光点位置が前記第１の円板状部の中心と一致するように搭載されている半導体パッケージ。
【請求項５】
前記第１の円板状部の外側面は、前記半導体パッケージ用ステムを固定部材に固定する際の位置決めの基準となる請求項４記載の半導体パッケージ。
【請求項６】
請求項１乃至３の何れか一項記載の半導体パッケージ用ステムと、
前記発光素子搭載面に搭載された発光素子と、を有し、
前記発光素子は、平面視において、発光点位置が前記第２の円板状部の中心と一致するように搭載されている半導体パッケージ。
【請求項７】
前記第２の円板状部の外側面は、前記半導体パッケージ用ステムを固定部材に固定する際の位置決めの基準となる請求項６記載の半導体パッケージ。
【手続補正２】
【補正対象書類名】明細書
【補正対象項目名】０００７
【補正方法】変更
【補正の内容】
【０００７】
本半導体パッケージ用ステムは、第１の円板状部と、前記第１の円板状部より小径の第２の円板状部と、発光素子を搭載する発光素子搭載面を備えた発光素子固定部と、を有し、前記第２の円板状部は、前記第１の円板状部の上面から突出すると共に、前記第１の円板状部の上面の外縁部を露出するように設けられ、前記発光素子固定部は、前記第２の円板状部の上面に、前記発光素子搭載面が前記第２の円板状部の上面に対して垂直になるように設けられ、前記第１の円板状部と前記第２の円板状部が偏芯しており、前記第１の円板状部及び前記第２の円板状部の中心は、平面視において、前記発光素子搭載面と垂直な線上の異なる位置にあることを要件とする。
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
一つのマイクロレンズに対して複数の光電変換部と、当該マイクロレンズごとに規則的に配置されたカラーフィルターとを有する画素部を備える撮像素子と、
前記撮像素子からの出力に基づいて、位相差方式の焦点検出用の第１の信号と第２の信号とを生成する生成手段と、
を備え、
前記第１、第２の信号は、複数の単位信号から成り、
前記第１、第２の信号の単位信号は、それぞれカラーフィルターの同じ組み合わせの画像信号を混合した信号である
ことを特徴とする撮像装置。
【請求項２】
前記光電変換部は、前記一つのマイクロレンズに対して撮像光学系の射出瞳の分割された異なる領域を通過した光束を光電変換して画像信号を生成する
ことを特徴とする請求項１に記載の撮像装置。
【請求項３】
前記第１、第２の信号は、撮像光学系の射出瞳の分割された異なる領域を通過した光束を光電変換して得られた信号に対応する
ことを特徴とする請求項１に記載の撮像装置。
【請求項４】
前記第１の信号は、前記撮像素子から出力された後の第３の信号と前記撮像素子から出力された前記第２の信号から生成される
ことを特徴とする請求項１に記載の撮像装置。
【請求項５】
前記生成手段は、前記撮像素子からｍ行ｎ列の２次元の第１および第２の画像信号を読み出し、前記読み出した第１の画像信号について、異なるカラーフィルターを有する画素部からの画像信号を混合して、ｍ行未満の第３の画像信号を生成し、前記読み出した第２の画像信号について、異なるカラーフィルターを有する画素部からの画像信号を混合してｍ行未満の第４の画像信号を生成し、
前記生成された第３の画像信号と第４の画像信号は前記第１、第２の画像信号に対応する
ことを特徴とする請求項１に記載の撮像装置。
【請求項６】
前記生成手段は、前記第１、第２の画像信号のそれぞれについて、行方向に並ぶ複数の画素部からの画像信号を平均または加算することで、ｍ／２行の前記第３、第４の画像信号を生成する
ことを特徴とする請求項５に記載の撮像装置。
【請求項７】
前記生成手段は、前記第１、第２の画像信号のそれぞれについて、列方向に並ぶ複数の画素部からの画像信号を平均または加算することで、ｎ／２列の前記第３、第４の画像信号を生成する
ことを特徴とする請求項６に記載の撮像装置。
【請求項８】
前記生成手段は、前記第３、第４の画像信号のそれぞれに含まれる、列方向に隣り合う画像信号の生成元の画像信号を出力する画素部が重複するように、前記第１、第２の画像信号のそれぞれについて前記画像信号の混合を行う
ことを特徴する請求項５に記載の撮像装置。
【請求項９】
前記第１、第２の信号を使って前記位相差方式の焦点検出を行う制御手段さらに備え、
前記制御手段は、前記第３の画像信号と前記第４の画像信号とを、互いに逆方向に１列ずつシフトさせる
ことを特徴とする請求項５乃至８のいずれか一項に記載の撮像装置。
【請求項１０】
一つのマイクロレンズに対して複数の光電変換部と、当該マイクロレンズごとに規則的に配置されたカラーフィルターとを有する画素部を備える撮像装置の制御方法であって、
撮像素子からの出力に基づいて、位相差方式の焦点検出用の第１の信号と第２の信号とを生成する工程を有し、
前記第１、第２の信号は、複数の単位信号から成り、
前記第１、第２の信号の単位信号は、それぞれカラーフィルターの同じ組み合わせの画像信号を混合した信号である
ことを特徴とする制御方法。